(57)【特許請求の範囲】
【請求項１】
情報処理部がデータを処理可能な第１の電源ステートと、前記情報処理部がデータを処理不能な第２の電源ステートとに遷移可能であり、
前記情報処理部に処理されたデータを表示する表示部が、ユーザに視認可能な第１の状態とユーザに視認不能な第２の状態をとることができ、
前記表示部に表示可能なデータの記憶された記録媒体が挿入されたときに電源ステートを記憶してから前記第１の電源ステートに遷移して前記記録媒体からデータを取得し、
前記記録媒体からのデータの取得が終了した後、前記第１の状態であれば、前記データを前記表示部に表示し、
前記記録媒体からのデータの取得が終了した後、前記第２の状態であれば、前記記憶した電源ステートに遷移することを特徴とする情報処理装置。
【請求項２】
記録媒体の挿入を検出する検出手段と、
表示部が視認可能な状態か否か判断する判断手段と、
前記記録媒体の挿入が検出された時の情報処理装置の電源がＯＮでない場合は、電源ＯＮの状態に遷移させる電源制御手段と、
前記遷移させる前の電源ステートを記憶する記憶手段と、
前記記録媒体が保持するデータを取得する取得手段と、を備え、
前記電源制御手段は、前記記録媒体からデータを取得した後、前記表示部が視認不能な状態であれば、前記記憶した電源ステートに遷移させることを特徴とする情報処理装置。
【請求項３】
前記表示部が視認可能な状態であれば、前記取得したデータを前記表示部に表示する表示手段を備えることを特徴とする請求項２記載の情報処理装置。
【請求項４】
前記情報処理装置は、複数の筐体から構成されるノート型であり、
前記判断手段は、表示部が設けられた筐体の開閉を検知することで、開いていれば視認可能、閉じていれば視認不能、と判断することを特徴とする請求項２又は３記載の情報処理装置。
【請求項５】
前記表示部上に障害物があるか否か検知するセンサが設けられていることを特徴とする請求項２から４のいずれか１項記載の情報処理装置。
【請求項６】
記録媒体の挿入を検出するステップと、
表示部が視認可能な状態か否か判断するステップと、
前記記録媒体の挿入が検出された時の情報処理装置の電源がＯＮでない場合は、現在の電源ステートを記憶してから、電源ＯＮの状態に遷移させるステップと、
前記記録媒体が保持するデータを取得するステップと、
前記記録媒体からデータを取得した後、前記表示部が視認不能な状態であれば、前記記憶した電源ステートに遷移させるステップと、
を備えることを特徴とするデータ記録方法。
【請求項７】
記録媒体の挿入を検出する処理と、
表示部が視認可能な状態か否か判断する処理と、
前記記録媒体の挿入が検出された時の情報処理装置の電源がＯＮでない場合は、現在の電源ステートを記憶してから、電源ＯＮの状態に遷移させる処理と、
前記記録媒体が保持するデータを取得する処理と、
前記記録媒体からデータを取得した後、前記表示部が視認不能な状態であれば、前記記憶した電源ステートに遷移させる処理と、
をコンピュータに実行させることを特徴とするデータ記録プログラム。
【請求項８】
請求項７記載のデータ記録プログラムの処理を記録するコンピュータ読取り可能な記録媒体。
【発明の詳細な説明】
【技術分野】
【０００１】
本発明は、情報処理装置、データ記録方法、データ記録プログラム及びその処理を記録した記録媒体に関し、特に、記録媒体からデータコピーを行う情報処理装置、データ記録方法、データ記録プログラム及びその処理を記録した記録媒体に関する。
【背景技術】
【０００２】
メモリーカード等の記録媒体から、パーソナルコンピュータ（ＰＣ）等の情報処理装置にデータを転送する技術に関し、以下の技術が提案されている。
【０００３】
デジタルカメラなどの撮像装置で撮影された画像データは、通常、その撮像装置に格納されている各種メモリーカードに保存される。その画像データが保存されているメモリーカードを、画像ビューア装置、ＰＣなどに挿入し、操作者の操作を受けてメモリーカードから画像データを転送することが一般的に行われている。しかしながら、操作者がその都度操作をすることは煩雑で不便であった。そこで、メモリーカードが挿入されたことを検出すると、電源を投入し、メモリーカードからデータを転送した後、電源を遮断することを特徴とする情報処理装置が提案されている（特許文献１参照）。
【先行技術文献】
【特許文献】
【０００４】
【特許文献１】特開２００６−２６８４３８号公報
【発明の概要】
【発明が解決しようとする課題】
【０００５】
しかしながら、上記のような技術には、以下の問題点がある。
【０００６】
メモリーカード等の記録媒体を挿入して記録媒体からのデータ転送を行った後、ユーザが引き続き情報処理装置を使用する可能性もある。しかし、上記特許文献１記載の技術では、データ転送後に強制的に電源が遮断されるため、再度電源を投入しなければならず、ユーザのニーズが反映し切れていない点が問題であった。
【０００７】
本発明はこのような状況に鑑みてなされたものであり、記録媒体からデータコピーを行う情報処理装置の動作の利便性をさらに向上させることを目的としている。
【課題を解決するための手段】
【０００８】
本発明の情報処理装置は、情報処理部がデータを処理可能な第１の電源ステートと、情報処理部がデータを処理不能な第２の電源ステートとに遷移可能であり、情報処理部に処理されたデータを表示する表示部が、ユーザに視認可能な第１の状態とユーザに視認不能な第２の状態をとることができ、表示部に表示可能なデータの記憶された記録媒体が挿入されたときに電源ステートを記憶してから第１の電源ステートに遷移して記録媒体からデータを取得し、記録媒体からのデータの取得が終了した後、第１の状態であれば、データを表示部に表示し、記録媒体からのデータの取得が終了した後、第２の状態であれば、記憶した電源ステートに遷移することを特徴とする。
【０００９】
本発明の情報処理装置は、記録媒体の挿入を検出する検出手段と、表示部が視認可能な状態か否か判断する判断手段と、記録媒体の挿入が検出された時の情報処理装置の電源がＯＮでない場合は、電源ＯＮの状態に遷移させる電源制御手段と、遷移させる前の電源ステートを記憶する記憶手段と、記録媒体が保持するデータを取得する取得手段と、を備え、電源制御手段は、記録媒体からデータを取得した後、表示部が視認不能な状態であれば、記憶した電源ステートに遷移させることを特徴とする。
【００１０】
本発明に係るデータ記録方法は、記録媒体の挿入を検出するステップと、表示部が視認可能な状態か否か判断するステップと、記録媒体の挿入が検出された時の情報処理装置の電源がＯＮでない場合は、現在の電源ステートを記憶してから、電源ＯＮの状態に遷移させるステップと、記録媒体が保持するデータを取得するステップと、記録媒体からデータを取得した後、表示部が視認不能な状態であれば、記憶した電源ステートに遷移させるステップと、を備えることを特徴とする。
【００１１】
本発明に係るデータ記録プログラムは、記録媒体の挿入を検出する処理と、表示部が視認可能な状態か否か判断する処理と、記録媒体の挿入が検出された時の情報処理装置の電源がＯＮでない場合は、現在の電源ステートを記憶してから、電源ＯＮの状態に遷移させる処理と、記録媒体が保持するデータを取得する処理と、記録媒体からデータを取得した後、表示部が視認不能な状態であれば、記憶した電源ステートに遷移させる処理と、をコンピュータに実行させることを特徴とする。
【００１２】
本発明に係る記録媒体は、上記本発明に係るデータ記録プログラムの処理を記録するコンピュータ読取り可能な記録媒体である。
【発明の効果】
【００１３】
本発明によれば、記録媒体からデータコピーを行う情報処理装置の動作の利便性をさらに向上させることが出来る。
【図面の簡単な説明】
【００１４】
【図１】本発明の実施形態に係る情報処理装置１００のハードウェア構成を示す図である。
【図２】本発明の実施形態に係る情報処理装置の一例（ノート型ＰＣ）を示す外観図である。
【図３】本発明の実施形態に係る情報処理装置１００'のハードウェア構成を示す図である。
【図４】本発明の実施形態に係る情報処理装置の一例（デスクトップ型ＰＣ）を示す外観図である。
【図５】本発明の実施形態に係る情報処理装置１００'の動作処理を示すフローチャートである。
【図６】図５に示す動作処理をシステム動作モード対応表としてまとめた図である。
【発明を実施するための形態】
【００１５】
以下に、本発明の実施形態について図面を用いて詳細に説明する。なお、以下に述べる実施形態は、本発明の好適な実施形態であるから、技術的に好ましい種々の限定が付されているが、本発明の範囲は、以下の説明において特に本発明を限定する旨の記載がない限り、これらの態様に限られるものではない。
【００１６】
本明細書においては、情報処理部がデータを処理可能な第１の電源ステートを電源ＯＮ、情報処理部がデータを処理不能な第２の電源ステートをスリープ、情報処理部がデータを処理不能であって第２の電源ステートより消費電力が小さい第３の電源ステートを電源ＯＦＦと称す。
【００１７】
（構成）
図１は、本発明の実施形態に係る情報処理装置１００のハードウェア構成を示す図である。情報処理装置１００は、ＣＰＵ１（Central Processing Unit）、ＲＡＭ２（Random Access Memory）、ＲＯＭ３（Read Only Memory）、表示部４、ＨＤＤ（Hard Disk Drive）１２、入力制御部５、電源制御部６、電源ボタン７、システムステート制御部８、カード検出部９、カードＩ／Ｆ（Inter Face）１０、表示部状態判断部１１、がバス１３に接続され、構成されている。
【００１８】
ＣＰＵ１は、ＲＡＭ２、ＲＯＭ３、ＨＤＤ１２と連帯して、情報処理装置１００全体を制御する情報処理部である。ＲＯＭ３やＨＤＤ１２には、情報処理装置１００の制御プログラム、各種アプリケーションプログラム等が予め記憶されている。ＣＰＵ１は、ＲＯＭ３やＨＤＤ１２に記憶された制御プログラムに基づいて各機能ブロックの制御を行う。また、ＲＯＭ３やＨＤＤ１２に記憶されている各種アプリケーションプログラムの起動／停止及び制御等を行う。
【００１９】
表示部４は、出力手段である。
【００２０】
入力制御部５は、キーボード１０１やマウス１０２等の外部入力装置から入力を受け付けることが可能である。
【００２１】
電源制御部６は、電源ボタン７の押下や、システムステート制御部８の制御により、電源のＯＮ／ＯＦＦや、スリープ状態への移行等、情報処理装置１００の電源状態（電源ステート）を制御する。
【００２２】
カード検出部９は、カードＩ／Ｆ１０にメモリーカード１０３が挿入されているか否かを検出する。なお、ここでは一例としてメモリーカード１０３を用いているが、その他、着脱可能な記録媒体であれば良い。
【００２３】
表示部状態判断部１１は、表示部４が視認可能な状態であるか否かを判断する。
【００２４】
例えば、情報処理装置１００が図２（ａ）に示すようなノート型ＰＣ１００'である場合は、表示部４の液晶ディスプレイ（ＬＣＤ；Liquid Crystal Display）が閉じられてＬＣＤが本体部と対向している状態（図２（ｂ））である場合は、視認不能な状態となる。この場合、表示部状態判断部１１は、ＬＣＤ開閉を検知することで、表示部状態を判断することが出来る。この場合の情報処理装置１００'のハードウェア構成を図３に示す。表示部状態判断部１１の一例として、ＬＣＤ開閉検出部２０を備える。
【００２５】
また、情報処理装置１００が、図４（ａ）に示すようなデスクトップ型ＰＣである場合は、表示部４である液晶ディスプレイの前に物が置いてある場合等（図４（ｂ））は、視認不能な状態となる。この場合、表示部状態判断部１１は、表示部４が設けられている筐体に備えられた、障害物を検知できるセンサにより、障害物の有無を検知し、視認可能か否か判断することが出来る。
【００２６】
また、表示部４が物理的にＯＦＦされている場合、例えば図４（ａ）のディスプレイ電源ボタン１５によりＯＦＦになっている場合や、情報処理装置１００の電源状態がスリープ状態で、表示部に電源が供給されていない場合は、表示部状態判断部１１は、視認不能と判断することが出来る。
【００２７】
システムステート制御部は、カード検出部９がメモリーカード１０３の挿入を検出した場合に、電源がスリープ／ＯＦＦになっている場合は、ＯＮ状態すなわち少なくともＣＰＵ１がデータ処理可能な状態に移行するように電源制御部へ命令することも可能である。
【００２８】
（動作処理）
次に、本発明の実施形態に係る情報処理装置の動作処理について図５に示すフローチャートを用いて説明する。本フローチャートは、図３に示す情報処理装置１００'（ノート型ＰＣ）における動作処理であって、ＬＣＤの開閉により、表示部状態が判断される。すなわち、ＬＣＤ開の場合は表示部が視認可能であり、ＬＣＤ閉の場合は視認不能となる。ＬＣＤが開かれている時に、メモリーカードが挿入されたということは、ユーザがデータコピーとデータ表示を望んでいることが想定され、データコピーと表示部４へのデータ表示を行うことを特徴とする。また、データコピー等の処理が終わった後の電源状態は、メモリーカード挿入前の電源状態に戻すことを基本としつつも、ＬＣＤが開かれている状態の場合は、コピーしたデータの編集等、ユーザが引き続き操作を行うことが想定され、電源ＯＮの状態のままにすることを特徴とする。
【００２９】
メモリーカードの挿入が検出されると（ステップＳ１）、電源ＯＦＦの場合であって（ステップＳ２／ＯＦＦ）、ＬＣＤが閉じている（ステップＳ３／閉）場合は、現在の電源ステートすなわち電源ＯＦＦであったことを記憶してから、電源ＯＮへ遷移する処理を行い（ステップＳ４）、メモリーカードからデータをコピーする（ステップＳ５）。データコピー後、記憶してあった電源ステートすなわちメモリーカード挿入の前の電源ステートである電源ＯＦＦに遷移される（ステップＳ６）。
【００３０】
なお、データコピーは、メモリーカード内の全てのデータあるいは特定のデータ（例えば、画像データであれば画像の種類やファイルが作成された日時などによって特定する）、メモリーカードＩ／Ｆを介して、ＨＤＤ１２に転送する。以下のステップにおける「データコピー」も同様である。
【００３１】
一方、電源ＯＦＦの場合であって（ステップＳ２／ＯＦＦ）、ＬＣＤが開いている（ステップＳ３／開）場合は、電源ＯＮの処理を行い（ステップＳ７）、メモリーカードからデータをコピーし、さらに表示部４にデータを表示する（ステップＳ８）。データコピー後、電源ステートは電源ＯＮのままにする。ＬＣＤが開いているため、ユーザが引き続き操作を行う意志があると想定されるからである。表示部４へは、データ表示例えば画像データのスライドショーを引き続き表示しても良い。
【００３２】
次に、ステップＳ２でスリープ（スタンバイ、省エネモードとも一般的に称される状態）の場合であって、ＬＣＤが閉じている（Ｓ９／閉）場合は、現在の電源ステートすなわちスリープであったことを記憶してから、電源ＯＮへ遷移する処理を行い（ステップＳ１０）、メモリーカードからデータをコピーする（ステップＳ１１）。データコピー後、記憶してあった電源ステートすなわちメモリーカード挿入の前の電源ステートであるスリープにされる（ステップＳ６）。ＬＣＤが閉じているため、ユーザが引き続き操作する意志はないと想定されるためである。
【００３３】
一方、スリープの場合であって（ステップＳ２／スリープ）、ＬＣＤが開いている（ステップＳ９／開）場合は、電源ＯＮの処理を行い（ステップＳ１３）、メモリーカードからデータをコピーし、さらに表示部４にデータを表示する（ステップＳ１４）。データコピー後、電源ステートは電源ＯＮのままにする。ＬＣＤが開いているため、ユーザが引き続き操作を行う意志があると想定されるからである。表示部４へは、データ表示例えば画像データのスライドショーを引き続き表示しても良い。
【００３４】
次に、ステップＳ２で電源ＯＮの場合であって、ＬＣＤが閉じている（Ｓ１５／閉）場合は、メモリーカードからデータをコピーする（ステップＳ１６）。データコピー後の電源ステートは電源ＯＮのままとなる。
【００３５】
一方、電源ＯＮの場合であって（ステップＳ２／電源ＯＮ）、ＬＣＤが開いている（ステップＳ１５／開）場合は、メモリーカードからデータをコピーし、さらに表示部４にデータを表示する（ステップＳ１７）。データコピー後は、電源ステートは電源ＯＮのままとなる。表示部４へは、データ表示例えば画像データのスライドショーを引き続き表示しても良い。
【００３６】
図６は、上記動作処理を、システム動作モード対応表としてまとめた図である。
【００３７】
また、図６に示す電源ステートがＯＮ、スリープ、ＯＦＦの場合の、電源供給の状態の一例について図３に示す構成を用いて説明する。
【００３８】
電源ＯＮの場合、図３に示す情報処理装置１００'を構成するモジュール全てに電源が供給されている。
【００３９】
スリープの場合は、ＲＡＭ２、電源制御部６、システムステート制御部８、カード検出部９、カードＩ／Ｆ１０、ＬＣＤ開閉検出部２０に電源が供給されている。
【００４０】
電源ＯＦＦの場合は、電源制御部６、システムステート制御部８、カード検出部９、カードＩ／Ｆ１０、ＬＣＤ開閉検出部２０に電源が供給されている。これにより、電源ＯＦＦの場合でも、カードメモリの挿入を検出して電源ＯＮの処理を行うことが出来る。
【００４１】
なお、通常、電源ＯＮの場合の動作処理は、ＯＳ（Operating System）上で行われるが、電源ＯＦＦからＯＮにする場合、ＯＳの立ち上げに時間がかかってしまうため、ＥＦＩ ＢＩＯＳ（Extensible Firmware Interface Basic Input/Output System）を用いてデータコピーやデータ表示を行うことも可能である。
【００４２】
以上のように、本実施形態によれば、電源ボタンをＯＮすることなく、また、コピーを指示する操作等を行うことなく、メモリーカードを情報処理装置に挿入するだけで、メモリーカードに保存されていたデータをＨＤＤに転送（コピー）することができる。なお、本実施形態においては、メモリーカード挿入をトリガとしてメモリーカードからデータコピーを行っているが、本発明はデータコピーに限らず、所定の処理を行えば良い。
【００４３】
さらに、表示部が視認可能か否かを判断し、視認可能な場合は表示部へのデータ表示を併せて行うことも可能である。例えば、画像データをコピーしている場合は、スライドショーで画像データを表示しても良い。
【００４４】
さらに、データコピー処理が終了した後、表示部が視認不能状態であれば、ユーザに使用意志がないと想定され、電源ステートは元の状態（メモリーカード挿入時の電源ステート）に遷移される。例えば、電源ＯＦＦの場合にメモリーカードを挿入したのであれば、電源ＯＮに遷移し、所定の処理（例えばメモリーカードが保持するデータのコピー）後、電源ＯＦＦに遷移される。一方、表示部が視認可能な状態であれば、ユーザに使用意志（引き続き情報処理装置を操作する意志）があると想定され、電源ステートはＯＮ状態のままとされる。これにより、よりユーザのニーズに合った動作処理を提供することが出来る。
【００４５】
なお、図５のフローチャートに示す処理を、ＣＰＵが実行するためのプログラムは本発明によるプログラムを構成する。このプログラムを記録する記録媒体としては、半導体記憶部や光学的及び／又は磁気的な記憶部等を用いることができる。このようなプログラム及び記録媒体を、前述した各実施形態とは異なる構成のシステム等で用い、そこのＣＰＵで上記プログラムを実行させることにより、本発明と実質的に同じ効果を得ることができる。
【００４６】
以上、本発明を好適な実施形態に基づき具体的に説明したが、本発明は上記のものに限定されるものではなく、その要旨を逸脱しない範囲で種々変更可能であることは言うまでもない。
【符号の説明】
【００４７】
１    ＣＰＵ
２    ＲＡＭ
３    ＲＯＭ
４    表示部
５    入力制御部
６    電源制御部
７    電源ボタン
８    システムステート制御部
９    カード検出部
１０    カードＩ／Ｆ（Inter Face）
１１    表示部状態判断部
１２    ＨＤＤ
１３    バス
１００    情報処理装置
１０１    キーボード
１０２    マウス
１０３    メモリーカード
【図１】
0005476058.tif 000002
【図２】
0005476058.tif 000003
【図３】
0005476058.tif 000004
【図４】
0005476058.tif 000005
【図５】
0005476058.tif 000006
【図６】
0005476058.tif 000007